(57)【要約】      （修正有）【課題】歯の清掃を行う時間を短縮することができる子供用の歯間清掃具を提供する。【解決手段】一端部に把持部４を有する柄部５と、柄部５の他端部から二股状に分岐した一対の分岐部６，７と、一対の分岐部６，７間に張設されるデンタルフロス３とを備えた子供用の歯間清掃具であって、デンタルフロス３に、香料を付着させている。デンタルフロス３が、ポリエチレン樹脂から形成されるとともに、デンタルフロス３の繊度が、２００デニール〜４５０デニールの範囲の任意の値に設定されている。大人用のデンタルフロスは、６００デニール前後が一般的であり、子供の歯と歯の間に入りやすい繊度でありながら、ポリエステル樹脂やナイロン樹脂に比べて切断強度を高めることができ、耐久性を高めることができる。【選択図】図１
0003193691.tif 000002
【実用新案登録請求の範囲】
【請求項１】
一端部に把持部を有する柄部と、該柄部の他端部から二股状に分岐した一対の分岐部と、該一対の分岐部間に張設されるデンタルフロスとを備えた子供用の歯間清掃具であって、
前記デンタルフロスに、香料を付着させていることを特徴とする子供用の歯間清掃具。
【請求項２】
前記デンタルフロスの繊度が、２００デニール〜４５０デニールの範囲の任意の値に設定したことを特徴とする請求項１に記載の子供用の歯間清掃具。
【請求項３】
前記デンタルフロスが、ポリエチレン樹脂から形成されていることを特徴とする請求項１又は２に記載の子供用の歯間清掃具。
【請求項４】
前記把持部が、平板状に構成され、かつ、前記柄部の幅よりも広い幅に構成されていることを特徴とする請求項１〜３のいずれか１項に記載の子供用の歯間清掃具。
【請求項５】
前記柄部は、把持部側となる一端側ほど上方に位置するように斜めに傾斜させた本体部と、前記本体部と前記分岐部とを繋ぐとともに該本体部の長さよりも短く、かつ、該本体部の傾斜角度よりも大きな傾斜角度を有する立ち上がり部とを備えていることを特徴とする請求項１〜４のうちのいずれか１項に記載の子供用の歯間清掃具。
【考案の詳細な説明】
【技術分野】
【０００１】
本考案は、一端部に把持部を有する柄部と、該柄部の他端部から二股状に分岐した一対の分岐部と、該分岐部間に張設されるデンタルフロスとを備えた子供用の歯間清掃具に関する。
【背景技術】
【０００２】
従来から、歯磨きをした後の子供の歯の磨き残し部分を親が歯間清掃具を用いて清掃することが行われている。この歯間清掃具は、把持するための柄部と、柄部の一端から二股状に分岐した一対の分岐部と、一対の分岐部間に張設されるデンタルフロスとを備えている（例えば、特許文献１参照）。
【先行技術文献】
【特許文献】
【０００３】
【特許文献１】実用新案登録第３１８０３６４号公報
【考案の概要】
【考案が解決しようとする課題】
【０００４】
特許文献１の歯間清掃具のデンタルフロスを子供の歯と歯の間に挿入して歯間清掃具を例えば前後方向に動かして歯の清掃を行うことになるが、子供にとって非常に苦痛な作業になるため、しばしば中断しなければならない。そのため、歯の清掃を行う時間が多くかかり、改善の余地があった。
【０００５】
そこで、本考案は、かかる事情に鑑みてなされたもので、歯の清掃を行う時間を短縮することができる子供用の歯間清掃具を提供することを課題とする。
【課題を解決するための手段】
【０００６】
本考案に係る子供用の歯間清掃具は、一端部に把持部を有する柄部と、該柄部の他端部から二股状に分岐した一対の分岐部と、該一対の分岐部間に張設されるデンタルフロスとを備えた子供用の歯間清掃具であって、前記デンタルフロスに、香料を付着させていることを特徴としている。
【０００７】
本考案によれば、デンタルフロスに、香料を付着させていることから、子供はその味や香りに魅かれて歯の清掃に積極的に取り組むことができる。従って、歯間清掃具による清掃中に作業を中断することなく連続して作業を行うことができる。
【０００８】
また、本考案に係る子供用の歯間清掃具は、前記デンタルフロスの繊度を、２００デニール〜４５０デニールの範囲の任意の値に設定することが好ましい。
【０００９】
上記のように、デンタルフロスの繊度を、２００デニール〜４５０デニールの範囲の任意の値に設定することによって、子供の歯と歯の狭い隙間に入りやすい。また、デンタルフロスを歯と歯の間に入れて歯間清掃具を前後方向に動かした場合の歯に対するデンタルフロスの摩擦抵抗が小さくなり、その分スムーズかつ快適に歯間清掃具を前後方向に動かすことができ、子供にとって有利な歯間清掃具とすることができる。
【００１０】
また、本考案に係る子供用の歯間清掃具は、前記デンタルフロスが、ポリエチレン樹脂から形成されていることが好ましい。
【００１１】
上記のように、デンタルフロスが、ポリエチレン樹脂から形成されることによって、ポリエステル樹脂やナイロン樹脂に比べて切断強度を高めて、耐久性を高めることができる。これによって、デンタルフロスが切れることを阻止することができ、清掃作業を連続して一気に行うことができる。
【００１２】
また、本考案に係る子供用の歯間清掃具は、前記把持部が、平板状に構成され、かつ、前記柄部の幅よりも広い幅に構成されていることが好ましい。
【００１３】
上記のように、把持部が、平板状に構成され、かつ、前記柄部の幅よりも広い幅に構成されていることによって、把持部を持ち易くなるため、指が把持部に対して滑ることがなく、清掃作業を迅速に行える。
【００１４】
また、本考案に係る子供用の歯間清掃具は、前記柄部は、把持部側となる一端側ほど上方に位置するように斜めに傾斜させた本体部と、前記本体部と前記分岐部とを繋ぐとともに該本体部の長さよりも短く、かつ、該本体部の傾斜角度よりも大きな傾斜角度を有する立ち上がり部とを備えていることが好ましい。
【００１５】
上記のように、本体部の傾斜角度よりも大きな傾斜角度を有する立ち上がり部を備えることによって、歯と歯の間にデンタルフロスを入れて歯間清掃具を動かして清掃する際に、立ち上がり部が、唇に当たり難く清掃をスムーズかつ快適に行える。
【考案の効果】
【００１６】
以上の如く、本考案によれば、デンタルフロスに、香料を付着させることによって、清掃作業を中断することなく連続して行うことができる。よって、歯の清掃を行う時間を短縮することができる子供用の歯間清掃具を提供することができる。
【図面の簡単な説明】
【００１７】
【図１】本考案に係る子供用の歯間清掃具の斜視図である。
【図２】本考案に係る子供用の歯間清掃具の側面図である。
【図３】本考案に係る子供用の歯間清掃具の底面図である。
【考案を実施するための形態】
【００１８】
以下、本考案に係る子供用の歯間清掃具（以下において歯間清掃具という）の一実施形態について、図面に基づいて説明する。
【００１９】
図１〜図３に示すように、歯間清掃具１は、清掃具本体２と、デンタルフロス３とを備えている。歯間清掃具１は、ホルダー付デンタルフロスともいう。
【００２０】
清掃具本体２は、例えばポリスチレン樹脂で形成する他、ポリプロピレン樹脂、ポリエチレン樹脂、ポリエチレンテレフタレート樹脂、ポリカーボネート樹脂などの各種の合成樹脂材料で形成することができる。また、これらの樹脂に無機質のフィラーを混入して保形強度を高めて実施することもできる。
【００２１】
また、清掃具本体２は、両側面２Ａ，２Ａがフラット面に構成された板状部材からなり、一端に把持部４を有する柄部５と、柄部５の他端部から二股状に分岐した一対の分岐部６，７とを備えている。前記一対の分岐部６，７間にデンタルフロス３が張設されている。より詳細には、一対の分岐部６，７の互いに対向する内側でかつ先端（下端）側に位置する部分間に、デンタルフロス３が植設されている。尚、清掃具本体２の両側面２Ａ，２Ａ以外の部分である上面２Ｂ及び下面２Ｃ、一対の分岐部６，７の外側面２Ｄ及び内側面２Ｅを丸くしているが、フラット面に構成してもよい。
【００２２】
柄部５は、把持部４側となる一端（遊端）側ほど上方に位置するように斜めに傾斜させた本体部５Ａと、本体部５Ａと分岐部６，７とを繋ぐとともに本体部５Ａの長さよりも短く、かつ、本体部５Ａの傾斜角度よりも大きな傾斜角度を有する立ち上がり部５Ｂとを備えている。尚、ここでは、本体部５Ａの水平面に対する角度を２５度前後に設定し、立ち上がり部５Ｂの水平面に対する角度を４５度前後に設定することが最適であるが、どのような角度に設定しても構わない。
【００２３】
本体部５Ａは、同一厚みで把持部４を除く長手方向全域に亘って同一幅に構成されている。そして、本体部５Ａの一端（遊端）部に上方に膨出する略楕円形状の把持部４を備えている。親がこの把持部４を指で摘まんで、子供の歯の磨き残し部分を清掃することになる。
【００２４】
一対の分岐部６，７は、上下方向に延びる縦部６Ａ，７Ａと、縦部６Ａ，７Ａの上端から互いに内方側に向けて円弧状に突出形成される円弧部６Ｂ，７Ｂとを備え、それら円弧部６Ｂ，７Ｂの先端同士を繋いでアーチ形状に構成されている。また、一対の分岐部６，７は、柄部５と同一厚みに構成されるとともに柄部５の幅よりも狭い幅に構成されている。また、一方の分岐部７の縦部７Ａの上端から立ち上がり部５Ｂが延びている。
【００２５】
デンタルフロス３が、ポリエチレン樹脂から形成されるとともに、デンタルフロス３の繊度が、２００デニール〜４５０デニールの範囲の任意の値に設定されている。大人用のデンタルフロスは、６００デニール前後が一般的であり、子供の歯と歯の間に入りやすい繊度でありながら、ポリエステル樹脂やナイロン樹脂に比べて切断強度を高めることができ、耐久性を高めることができる。これによって、清掃作業を連続して一気に行うことができる。また、デンタルフロス３の上下方向の幅Ｗよりも厚みＤを小さくして、特に子供の歯と歯の狭い隙間にデンタルフロス３を容易に入れることができながらも、幅Ｗの大きさによって切断強度を高めるようにしているが、幅Ｗと厚みＤを同一寸法にして実施することもできる。
【００２６】
また、デンタルフロス３に、香料を付着させている。このように、デンタルフロス３に、香料を付着させていることから、子供はその味や香りに魅かれて歯の清掃に積極的に取り組むことができる。従って、歯間清掃具１による清掃中に作業を中断することなく連続して作業を行うことができる。
【００２７】
香料としては、様々な植物や一部の動物から抽出した天然香料、化学的に合成された合成香料、フレーバーを用いて作成される調合香料などが挙げられる。
【００２８】
ここでは、バナナフレーバー、オレンジフレーバー、イチゴ（ストロベリー）フレーバー、巨峰（グレープ）フレーバー、リンゴフレーバー、マンゴーフレーバー等の粉末香料を用いて、香りと味をデンタルフロス３に付着させている。
【００２９】
尚、本考案は、前記実施形態に限定されるものではなく、本考案の要旨を逸脱しない範囲で種々の変更が可能である。
【００３０】
前記実施形態では、デンタルフロス３を、ポリエチレン樹脂から形成することによって、耐久性において有利になるが、ポリエステル樹脂やナイロン樹脂から形成することもできる。
【００３１】
また、前記実施形態では、一方の分岐部７の縦部７Ａの上端から立ち上がり部５Ｂが延びる場合を示したが、一対の分岐部６，７の円弧部６Ｂ，７Ｂの先端同士が繋がる部分、つまり縦部６Ａ，７Ａ間の略中央の上端から立ち上がり部５Ｂが延びるように構成してもよい。
【００３２】
また、前記実施形態では、清掃具本体を両側面２Ａ，２Ａを有する板状部材から構成したが、断面形状が円形又は楕円形などの棒状部材から構成してもよい。
【符号の説明】
【００３３】
１…歯間清掃具。２…清掃具本体、２Ａ…側面、２Ｂ…上面、２Ｃ…下面、２Ｄ…外側面、２Ｅ…内側面、３…デンタルフロス、４…把持部、５…柄部、５Ａ…本体部、５Ｂ…立ち上がり部、６，７…分岐部、６Ａ，７Ａ…縦部、６Ｂ，７Ｂ…円弧部
【図１】
0003193691.tif 000003
【図２】
0003193691.tif 000004
【図３】
0003193691.tif 000005